(57)【要約】【課題】衣類を収納するネットを確実かつ容易に洗濯兼脱水槽の内部に装着するとともに、帯電微粒子水の放出による除菌、消臭の効果を発揮し、洗濯品質を向上させること。【解決手段】パルセータ６を回転自在に設けた洗濯兼脱水槽４と、洗濯兼脱水槽４を内包する水受け槽３と、パルセータ６、洗濯兼脱水槽４を回転駆動するモータ８と、洗濯兼脱水槽４の上端部に設けられた略環状の流体バランサ７と、衣類などを収納するための網体部を有するネット５２と、帯電微粒子水を発生させる静電霧化発生装置４０と、を備え、ネット５２は、引っ掛け部５２ａを外周端部に設け、洗濯兼脱水槽４の内面には、流体バランサ７の下方に近接して引っ掛け部５２ａが引っ掛けられるフック部５１ａを中央部に備えたネットホルダー５１を設け、引っ掛け部５２ａがフック部５１ａに引っ掛けられた状態で、帯電微粒子水がネット５２に収納した衣類などに放出されるように構成した。【選択図】図１
2014233518.tif 000002
【特許請求の範囲】
【請求項１】
中央底部にパルセータを回転自在に設けた洗濯兼脱水槽と、前記洗濯兼脱水槽を内包する水受け槽と、前記パルセータおよび／または前記洗濯兼脱水槽を回転駆動するモータと、前記洗濯兼脱水槽の上端部に設けられた略環状の流体バランサと、衣類などを収納するための網体部を有するネットと、帯電微粒子水を発生させる静電霧化発生装置と、を備え、前記ネットは、引っ掛け部を外周端部に設け、前記洗濯兼脱水槽の内面には、上端部に設けた前記流体バランサの下方に近接して前記引っ掛け部が引っ掛けられるフック部を中央部に備えたネットホルダーを設け、前記引っ掛け部が前記フック部に引っ掛けられた状態で、前記帯電微粒子水が前記ネットに収納した衣類などに放出されるように構成したことを特徴とする洗濯機。
【請求項２】
前記ネットホルダーは、前記洗濯兼脱水槽の内面に２箇所以上設け、前記ネットには２箇所の前記引っ掛け部を備えたことを特徴とする請求項１に記載の洗濯機。
【請求項３】
前記引っ掛け部は、最外側部を略円柱形状とし、前記ネットホルダーの前記フック部は、外方を開放した略半円筒形状とした請求項１または２に記載の洗濯機。
【請求項４】
前記ネットホルダーの両側端面は、なだらかな面形状とした請求項１〜３のいずれか１項に記載の洗濯機。
【発明の詳細な説明】
【技術分野】
【０００１】
本発明は、衣類や小物類の除菌・消臭をするためのネットを備え、洗濯兼脱水槽内にネットの取り付け部を構成した洗濯機に関するものである。
【背景技術】
【０００２】
従来、この種の洗濯機は、洗濯兼脱水槽内で撹拌用のパルセータにて洗濯物を撹拌洗浄する以外に、パルセータを洗濯物に直接接触させずに洗濯物を処理するための専用ネットを搭載する構成が提案されている（例えば、特許文献１参照）。
【０００３】
図６は、従来の洗濯機の縦断面図、図７は、同洗濯機の要部横断面図である。
【０００４】
図６、図７において、ネット１１２は、洗濯兼脱水槽１０１の側壁の曲面に合わせた４つのコーナーを有する略四角形の平面状の網体１１３に縦方向が長辺の長方形の断面のリング１１４を設けており、リング１１４は、弾性を有するバネ材を使用し、ネット１１２はこのリング１１４のバネ力で形状を保つようになっている。ネット１１２のコーナー部が洗濯兼脱水槽１０１内壁の段部１１５に乗っており、パルセータ１０２を覆うように取付し、ネット１１２上の衣類１１６により押さえられている。ネット１１２の直線部は洗濯兼脱水槽１０１内の循環水路１０９の逃がしとなっている。
【０００５】
以上の構成にて、洗濯時には衣類１１６はネット１１２の上に乗せられており、直接に衣類１１６とパルセータ１０２は接触しない。パルセータ１０２の回転により、矢印で示すような水流１１７が発生し、この水流の力とパルセータ１０２のポンプ作用による循環水路１０９の上方からの吐出水によって衣類１１６は洗浄される。この洗浄方法により、デリケートな衣類の型くずれ、傷みを防止するようになっている。なお、このネット１１２は、デリケートな衣類の洗浄以外に、洗濯機に乾燥機能を持たせれば、上方から温風を放出してネット１１２上の小物等の衣類の乾燥もできるし、帯電微粒子水の発生機能を持たせれば、上方から帯電微粒子水を吹き付けてネット１１２上の小物等の衣類の除菌、消臭を行なうこともできる。
【先行技術文献】
【特許文献】
【０００６】
【特許文献１】特開平８−１１２４８９号公報
【発明の概要】
【発明が解決しようとする課題】
【０００７】
しかしながら、前記従来の構成では、少量のデリケートな衣類を洗浄するには支障ないが、ネット上で小物等の衣類の乾燥や除菌・消臭を行なう場合には、ネットが洗濯兼脱水槽の下部に取り付けてあるために、上方から吐出した乾燥空気や帯電微粒子水は洗濯兼脱水槽内で拡散してしまい、衣類に供給しにくく、性能を確保するには長い時間が掛かり、短時間で効率的に効果が発揮できないという課題があった。
【０００８】
本発明は、上記従来の課題を解決するもので、洗濯兼脱水槽の内部にネットを確実かつ容易に装着することができる。これにより、ネット上の衣類は、上方より放出する温風による乾燥や、あるいは、帯電微粒子水の放出によって、衣類に供給されやすく、除菌、消臭の効果を短時間に発揮し、洗濯品質を向上させる洗濯機を提供するものである。
【課題を解決するための手段】
【０００９】
前記従来の課題を解決するために、本発明の洗濯機は、中央底部にパルセータを回転自在に設けた洗濯兼脱水槽と、前記洗濯兼脱水槽を内包する水受け槽と、前記パルセータおよび／または前記洗濯兼脱水槽を回転駆動するモータと、前記洗濯兼脱水槽の上端部に設けられた略環状の流体バランサと、衣類などを収納するための網体部を有するネットと、帯電微粒子水を発生させる静電霧化発生装置と、を備え、前記ネットは、開口部を有するフック部を外周端部に設け、前記洗濯兼脱水槽の内面には、上端部に設けた前記流体バランサの下方に近接して前記フック部が引っ掛けられる引っ掛け部を設け、前記フック部が前記引っ掛け部に引っ掛けられた状態で、前記帯電微粒子水が前記ネットに収納した衣類などに放出されるように構成したものである。
【００１０】
これによって、ネットを洗濯兼脱水槽の内部に確実かつ容易に固定することができ、さらに、帯電微粒子水の放出による除菌、消臭の効果を発揮し、洗濯品質を向上させることができる。
【発明の効果】
【００１１】
本発明の洗濯機は、衣類を収容するネットを洗濯兼脱水槽の内部に確実かつ容易に固定することができ、さらに、帯電微粒子水の放出による除菌、消臭の効果を発揮し、洗濯品質を向上させることができる。
【図面の簡単な説明】
【００１２】
【図１】本発明の実施の形態における洗濯機の縦断面図
【図２】同洗濯機の要部縦断面図
【図３】同洗濯機のネットとネットホルダーを示す要部斜視図
【図４】同洗濯機のネットホルダーの正面図
【図５】同洗濯機のネットとネットホルダーを示す要部断面図
【図６】従来の洗濯機の縦断面図
【図７】同洗濯機の要部横断面図
【発明を実施するための形態】
【００１３】
第１の発明は、中央底部にパルセータを回転自在に設けた洗濯兼脱水槽と、前記洗濯兼脱水槽を内包する水受け槽と、前記パルセータおよび／または前記洗濯兼脱水槽を回転駆動するモータと、前記洗濯兼脱水槽の上端部に設けられた略環状の流体バランサと、衣類などを収納するための網体部を有するネットと、帯電微粒子水を発生させる静電霧化発生装置と、を備え、前記ネットは、引っ掛け部を外周端部に設け、前記洗濯兼脱水槽の内面には、上端部に設けた前記流体バランサの下方に近接して前記引っ掛け部が引っ掛けられるフック部を中央部に備えたネットホルダーを設け、前記引っ掛け部が前記フック部に引っ掛けられた状態で、前記帯電微粒子水が前記ネットに収納した衣類などに放出されるように構成したことにより、ネットを洗濯兼脱水槽の内部に容易に装着することができるとともに、確実に固定することができ、さらに、帯電微粒子水の放出による除菌、消臭の効果を発揮し、洗濯品質を向上させることができる。
【００１４】
第２の発明は、特に、第１の発明の洗濯機において、前記ネットホルダーは、前記洗濯兼脱水槽の内面に２箇所以上設け、前記ネットには２箇所の前記引っ掛け部を備えたことにより、ネットを洗濯兼脱水槽の内部に容易に装着することができるとともに、確実に固定することができる。
【００１５】
第３の発明は、特に、第１または第２の発明の洗濯機において、前記引っ掛け部は、最外側部を略円柱形状とし、前記ネットホルダーの前記フック部は、外方を開放した略半円筒形状としたことにより、ネットを洗濯兼脱水槽の内部に容易に装着することができるとともに、確実に固定することができる。
【００１６】
第４の発明は、特に、第１〜第３のいずれかひとつの発明の洗濯機において、前記ネットホルダーの両側端面は、なだらかな面形状としたことにより、洗濯時において、衣類が引っ掛かって回らなくなり、洗浄性能が低下するといった不具合を防止することができる。
【００１７】
以下、本発明の実施の形態について、図面を参照しながら説明する。また、この実施の形態によって本発明が限定されるものではない。
【００１８】
（実施の形態１）
図１は、本発明の実施の形態１における洗濯機の縦断面図、図２は、同洗濯機の静電霧化発生ユニット部の要部断面図である。なお、本実施の形態１の洗濯機は、乾燥機能も有している。
【００１９】
図１において、筐体１は、内部に複数のサスペンション２によって弾性的に吊り下げた水受け槽３を設け、脱水時の振動をサスペンション２によって吸収する構成としている。水受け槽３の内部には、衣類および乾燥対象物を収容する洗濯兼脱水槽４を中空で２重構造とした洗濯・脱水軸５を中心に回転可能に配設し、洗濯兼脱水槽４の内底部に衣類や乾燥対象物を撹拌するパルセータ６を回転自在に配設している。
【００２０】
また、洗濯兼脱水槽４の内部周壁には通気孔４ａを多数設けるとともに、上方には流体バランサ７を設けている。モータ（駆動手段）８は、水受け槽３の外底部に取り付け、洗濯または脱水時に回転力の伝達を洗濯・脱水軸５に切り換えるクラッチ９と洗濯・脱水軸５を介して、洗濯兼脱水槽４またはパルセータ６に連結している。パルセータ６は外周部に傾斜面１０を有する略鍋型の形状をし、撹拌用突出部１１を形成し、洗濯行程時に衣類が撹拌されるとともに、乾燥行程において、乾燥対象物をパルセータ６の回転による遠心力で傾斜面に沿って上方へと舞い上がりやすくしている。つまり、衣類は撹拌により、左右（回転方向）に入れ替わるとともに、上下にも入れ替わるという動きをするように構成されている。
【００２１】
熱交換ダクト１２は、循環する湿った空気（循環風）を除湿するもので、一端を伸縮自在の接続ダクト１３を介して水受け槽３の下部に設けた排水経路口１４に接続し、他端を、空気循環経路１７の入り口側で、乾燥用ファン１５の下部に位置する循環風受け室４５の一端に接続している。
【００２２】
乾燥用ファン１５の上部には、ヒータ１６が設けられ、空気循環経路１７の出口側は、空気噴出口２０を有する上部蛇腹状ホース１８に接続されており、循環風受け室４５から洗濯兼脱水槽４へ繋がり循環する空気循環経路１７を構成し、この空気循環経路１７、乾燥用ファン１５、空気噴出口２０にて、送風手段２６を構成している。
【００２３】
空気循環経路１７の入り口側には、温度検知手段２７が、出口側には温度検知手段２８が設けられ、乾燥行程時の循環風温度を検知している。
【００２４】
循環風受け室２９内には、フィルター３０が設けられており、循環風は、このフィルター３０を通って循環しており、フィルター３０で、衣類から発生した糸くずなどを捕集している。
【００２５】
乾燥用ファン１５、空気循環経路１７、空気噴出口２０にて構成された送風手段２６等は、上部枠体３１の後部内方に設けられたプラスチック成型部材等で構成された支持部材３２に装着されている。
【００２６】
水受け槽３には、水受け槽３の上面を気密的に覆う水受け槽カバー１９を設けており、この水受け槽カバー１９に伸縮自在の上部蛇腹状ホース１８からの温風噴出口２０を開口している。また、水受け槽カバー１９に中蓋２１を開閉自在に設け、衣類を出し入れするようにしている。
【００２７】
筺体１の上部は、略中央部に衣類投入口３３を有する上部枠体３１が装着されており、衣類投入口３３を覆うように外蓋３４が開閉自在に設けられている。
【００２８】
水受け槽３の底部には、水受け槽３内の水を排水する排水弁２２を設け、排水ダクト２３を介して熱交換ダクト１２と接続ダクト１３とに接続し、接続ダクト１３と熱交換ダクト１２からの排水を排水ダクト２３、排水弁２２に導き、排水ホース２４から機外へ排水するようにしている。
【００２９】
冷却用送風機２５は、筐体１の側面に取り付け、筐体１の内部に水受け槽３、熱交換ダクト１２などを冷却するように送風できるよう構成している。
【００３０】
制御装置３５は、一体集中的に形成するとともに、筐体１の背面部（裏カバー）３６に略垂直に配設し、制御装置３５の下側に冷却用送風機２５を設けている。また、制御装置３５は、カバー３７にて覆われ保護されている。
【００３１】
制御装置３０は、モータ（駆動手段）８、クラッチ９、送風手段を構成する乾燥用ファン１５、ヒータ１６、排水弁２２、冷却用送風機（冷却手段）２５、給水弁（図示せず）などの動作を制御し、洗い、すすぎ、脱水、乾燥の各行程を制御する。また、上部枠体３１の前方部には、入力設定手段３８と表示手段（図示せず）とで構成された操作表示部３９を設けている。
【００３２】
さらに、支持部材３２には、送風手段２６の構成部材の空気循環経路１７の循環風受け室２９に隣接して、静電霧化発生装置４０（図２にて後述）を内設する静電霧化発生ユニット４１が、支持部材３２の下方からねじにて取り付け、固定されている。
【００３３】
図２において、静電霧化発生ユニット４１は、静電霧化発生装置４０及び制御回路である静電霧化駆動手段４２と、下方に開放口４３を形成する静電霧化ユニット取り付け板４４で構成され、静電霧化発生装置４０は取り付け板Ａ４５をねじにて螺着することで、また静電霧化駆動手段４２は取り付け板Ｂ４６をねじにて螺着することで、それぞれ静電霧化ユニット取り付け板４４の内方に開放口４３側より固定装着される。
【００３４】
さらに、静電霧化発生ユニット４１は、支持部材３２の下方からねじにて、支持部材３２に一体的に構成したボス部に取り付けられる。
【００３５】
なお、図示していないが、静電霧化発生装置４０と制御回路である静電霧化駆動手段４２とはリード線や接続コネクターで電気的な接続がなされていることは当然である。
【００３６】
取り付け板Ａ４５には、静電霧化発生装置４０の下部に空気流入口４７が形成され、静電霧化ユニット取り付け板４４の側壁には、静電霧化発生装置４０よりも低い位置に帯電微粒子水放出口４８が形成され、帯電微粒子水放出口４８は、送風手段２６の構成部材の循環風受け室２９と連通している。
【００３７】
また、静電霧化ユニット取り付け板４４と取り付け板Ａ４５で形成される静電霧化室４９には、静電霧化ユニット取り付け板４４の帯電微粒子水放出口４８と静電霧化発生装置４０との間に、遮蔽壁５０が、取り付け板Ａ４５の底面と間隙をもって、かつ、下方に垂下したリブ形状の先端が、帯電微粒子水放出口４８の下端より下方になるよう形成され、帯電微粒子水放出口４８と静電霧化発生装置４０とを防水可能に遮蔽している。
【００３８】
図１に示すように、洗濯兼脱水槽４の内面には、流体バランサ７の下方に近接してネットホルダー５１が設けられ、ネットホルダー５１には、ネット５２が引っ掛けられている。
【００３９】
図３は、本発明の実施の形態１における洗濯機のネットとネットホルダーを示す要部斜視図、図４は、同洗濯機のネットホルダーの正面図、図５は、同洗濯機のネットとネットホルダーを示す要部断面図を示すものである。
【００４０】
以下、図３〜５を用いて、ネットホルダー５１およびネット５２の構成について説明する。本実施の形態１においては、ネットホルダー５１が１８０°対面に２個設けられている。ネットホルダー５１は、流体バランサ７の下部に近接して設けられている。
【００４１】
ネット５２は、凹形状をしており、側面および底面（少なくとも底面）は、網状としている。このネット５２の側面上端部には、１８０°対面部に２箇所の引っ掛け部５２ａを設けている。引っ掛け部５２ａの最外側部は、略円柱形状としている。
【００４２】
ネットホルダー５１には、その中央部に、ネット５２の引っ掛け部５２ａが引っ掛かるフック部５１ａを設けており、フック部５１ａは、外方を開放した略半円筒形状としている。なお、このフック部５１ａの両端は、引っ掛け部５２ａの両端部５２ｂが挿入できるように、空間部５１ｂを設けている。
【００４３】
図５に示すように、略円柱形状の引っ掛け部５２ａが、外方を開放した略半円筒形状としたフック部５１ａに引っ掛けられることで、ネット５２が洗濯兼脱水槽４の上部に固定されるように構成される。
【００４４】
なお、ネットホルダー５１は、流体バランサ７の下部に近接して設けられているとともに、その両側端面５１ｃをなだらかな面形状としているので、洗い行程時やすすぎ行程時に、衣類が引っ掛からないように構成している。
【００４５】
以上のように構成された洗濯機において、以下その動作、作用を説明する。
【００４６】
小物等の衣類の除菌、消臭処理を行なうために、まず、ネット５２を洗濯兼脱水槽４に取り付ける。この時、ネット５２に設けた２箇所の引っ掛け部５２ａを、洗濯兼脱水槽４に取り付けられた２箇所のネットホルダー５１に設けたフック部５１ａの上方からそれぞれ差込みことで、引っ掛け部５２ａをフック部５１ａに外側から引っ掛ける。これによって、引っ掛け部５２ａは、フック部５１ａから、容易に外れない構成となっている。なお、ネットホルダー５１は、対称形に２箇所設けているが、それが、４箇所、６箇所等、それ以上であっても同等の効果を得ることができる。
【００４７】
それから、ネット５２内に小物等の衣類をセットする。
【００４８】
そして、操作表示部３９にて、衣類の撹拌洗浄という通常の運転コース以外の運転コースである除菌・消臭コースを選択して運転を開始すると、所定のプログラムに従い、除菌・消臭コースを実行する。
【００４９】
除菌・消臭コースは、上部枠体３１内方に設けた静電霧化発生ユニット４１の静電霧化駆動手段４２により静電霧化発生装置４０が駆動され、静電霧化発生装置４０から帯電微粒子水が生成されるとともに、乾燥用ファン１５が駆動される。このとき、空気流入口４７より送られた空気から静電霧化発生装置４０により帯電微粒子水が生成され、その帯電微粒子水は、帯電微粒子水放出口４８より送風手段２６の構成部材の循環風受け室２９に放出される。その後、帯電微粒子水は、乾燥用ファン１５、空気循環経路１７、上部蛇腹状ホース１８を介して、空気噴出口２０より放出される。
【００５０】
空気噴出口２０より放出された帯電微粒子水は、上方よりネット５２上に置いた小物等の衣類に向かって散布され、その衣類の除菌、消臭の処理が行なわれる。
【００５１】
以上のように、本実施の形態１においては、モータ８の回転による衣類の撹拌洗浄以外の所定の運転コース（除菌・消臭コース）にてネット５２内に置いた衣類を処理するために、ネット５２に設けた２箇所の引っ掛け部５２ａを、洗濯兼脱水槽４に取り付けられた２箇所のネットホルダー５１に設けたフック部５１ａの上方からそれぞれ差込みことで、引っ掛け部５２ａをフック部５１ａに外側から引っ掛けることにより、ネット５２の引っ掛け部５２ａを確実かつ容易に固定することができるようになる。
【００５２】
また、静電霧化発生装置にて発生させた帯電微粒子水をネット５２上に収納した小物等の衣類に放出することにより、除菌、消臭の効果を短時間に発揮し、洗濯品質を向上させることができる。
【産業上の利用可能性】
【００５３】
以上のように、本発明にかかる洗濯機は、衣類を収容するネットを洗濯兼脱水槽の内部に確実かつ容易に固定することが可能となるので、洗濯兼脱水槽の内部に他の容器を固定する他の洗濯機の用途に適用できる。
【符号の説明】
【００５４】
３  水受け槽
４  洗濯兼脱水槽
６  パルセータ
７  流体バランサ
８  モータ
４０  静電霧化発生装置
５１  ネットホルダー
５１ａ  フック部
５２  ネット
５２ａ  引っ掛け部
【図１】
2014233518.tif 000003
【図２】
2014233518.tif 000004
【図３】
2014233518.tif 000005
【図４】
2014233518.tif 000006
【図５】
2014233518.tif 000007
【図６】
2014233518.tif 000008
【図７】
2014233518.tif 000009